(57)【要約】      （修正有）【課題】複数の入力手段を有する映像表示装置の操作者に、排他制御中であり画面操作ができないという情報を明示する。【解決手段】表示画面上の指示位置の座標値を算出する座標入力装置と、前記表示画面上に位置指示をおこなう指示装置とを有し、かつ入力装置を有する情報処理装置とネットワークを介して接続された映像表示装置であって、前記座標入力装置からの入力を受付ける座標入力処理手段と、前記情報処理装置の入力装置からの入力を受付ける外部入力処理手段と、該映像表示装置に与える処理命令を表す画像を、表示画面上に表示させる処理命令画像表示手段と、前記座標入力処理手段からの入力と、前記外部入力処理手段からの入力とを排他制御する排他管理手段と、を具備したことを特徴とする映像表示装置。【選択図】  図２
2007072504.tif 000002
【特許請求の範囲】
【請求項１】
表示画面上の指示位置の座標値を算出する座標入力装置と、
前記表示画面上に位置指示をおこなう指示装置とを有し、
かつ入力装置を有する情報処理装置とネットワークを介して接続された映像表示装置であって、
前記座標入力装置からの入力を受付ける座標入力処理手段と、
前記情報処理装置の入力装置からの入力を受付ける外部入力処理手段と、
該映像表示装置に与える処理命令を表す画像を、表示画面上に表示させる処理命令画像表示手段と、
前記座標入力処理手段からの入力と、前記外部入力処理手段からの入力とを排他制御する排他管理手段と、
を具備したことを特徴とする映像表示装置。
【請求項２】
前記処理命令画像表示手段が、
前記排他管理手段による排他制御によって、前記座標入力処理手段からの入力が無効となった場合、
前記指示位置による位置指示の補助を行う画像の表示形態を変更する
請求項１に記載の映像表示装置。
【請求項３】
前記処理命令画像表示手段が、
前記排他管理手段による排他制御によって、前記座標入力処理手段からの入力が無効となった場合、
前記指示位置による位置指示の補助を行う画像を表示しない
請求項１に記載の映像表示装置。
【請求項４】
表示画面上の指示位置の座標値を算出する座標入力装置と、
前記表示画面上に位置指示をおこなう指示装置と、
前記座標入力装置以外の入力装置を少なくとも一つ以上有し、
かつ入力装置を有する情報処理装置とネットワークを介して接続された映像表示装置であって、
前記座標入力装置からの入力を受付ける座標入力処理手段と、
前記座標入力装置以外の入力装置からの入力を受付ける少なくとも一つ以上の内部入力処理手段と、
前記情報処理装置の入力装置からの入力を受付ける外部入力処理手段と、
該映像表示装置に与える処理命令を表す画像を、表示画面上に表示させる処理命令画像表示手段と、
前記座標入力処理手段からの入力と、前記内部入力処理手段からの入力と、前記外部入力処理手段からの入力とを排他制御する排他管理手段と、
を具備したことを特徴とする映像表示装置。
【請求項５】
前記処理命令画像表示手段が、
前記排他管理手段による排他制御によって、前記座標入力処理手段からの入力が無効となった場合、
前記指示位置による位置指示の補助を行う画像の表示形態を変更する
請求項４に記載の映像表示装置。
【請求項６】
前記処理命令画像表示手段が、
前記排他管理手段による排他制御によって、前記座標入力処理手段からの入力が無効となった場合、
前記指示位置による位置指示の補助を行う画像を表示しない
請求項４に記載の映像表示装置。
【請求項７】
表示画面上の指示位置の座標値を算出する座標入力装置と、
前記表示画面上に位置指示をおこなう指示装置とを有し、
かつ入力装置を有する情報処理装置とネットワークを介して接続された映像表示装置の制御方法であって、
前記座標入力装置からの入力を受付ける座標入力処理工程と、
前記情報処理装置の入力装置からの入力を受付ける外部入力処理工程と、
該映像表示装置に与える処理命令を表す画像を、表示画面上に表示させる処理命令画像表示工程と、
前記座標入力処理工程からの入力と、前記外部入力処理工程からの入力とを排他制御する排他管理工程と、
を具備したことを特徴とする映像表示装置の制御方法。
【請求項８】
前記処理命令画像表示工程が、
前記排他管理工程による排他制御によって、前記座標入力処理工程からの入力が無効となった場合、
前記指示位置による位置指示の補助を行う画像の表示形態を変更する
請求項７に記載の映像表示装置の制御方法。
【請求項９】
前記処理命令画像表示工程が、
前記排他管理工程による排他制御によって、前記座標入力処理工程からの入力が無効となった場合、
前記指示位置による位置指示の補助を行う画像を表示しない
請求項７に記載の映像表示装置の制御方法。
【請求項１０】
表示画面上の指示位置の座標値を算出する座標入力装置と、
前記表示画面上に位置指示をおこなう指示装置と、
前記座標入力装置以外の入力装置を少なくとも一つ以上有し、
かつ入力装置を有する情報処理装置とネットワークを介して接続された映像表示装置の制御方法であって、
前記座標入力装置からの入力を受付ける座標入力処理工程と、
前記座標入力装置以外の入力装置からの入力を受付ける少なくとも一つ以上の内部入力処理工程と、
前記情報処理装置の入力装置からの入力を受付ける外部入力処理工程と、
該映像表示装置に与える処理命令を表す画像を、表示画面上に表示させる処理命令画像表示工程と、
前記座標入力処理工程からの入力と、前記内部入力処理工程からの入力と、前記外部入力処理工程からの入力とを排他制御する排他管理工程と、
を具備したことを特徴とする映像表示装置の制御方法。
【請求項１１】
前記処理命令画像表示工程が、
前記排他管理工程による排他制御によって、前記座標入力処理工程からの入力が無効となった場合、
前記指示位置による位置指示の補助を行う画像の表示形態を変更する
請求項１０に記載の映像表示装置の制御方法。
【請求項１２】
前記処理命令画像表示工程が、
前記排他管理工程による排他制御によって、前記座標入力処理工程からの入力が無効となった場合、
前記指示位置による位置指示の補助を行う画像を表示しない
請求項１０に記載の映像表示装置の制御方法。
【発明の詳細な説明】
【技術分野】
【０００１】
本発明は表示画面上に座標入力機能を有し、かつ複数入力手段による入力の排他制御機能を有する映像表示装置に関するものである。
【背景技術】
【０００２】
近年、コンピュータシステムを利用した電子会議システムが普及してきている。特に大画面映像表示装置を利用した電子会議システムなどでは、デジタイザやマウス及びネットワークを介して接続されたPCが有する入力装置によって映像表示装置に対する画面の操作や文字の入力が行われている。
【０００３】
特にデジタイザにおいてはディスプレイの表示画面上にデジタイザ機能を有するオンスクリーンデジタイザがあり、表示画面上でペンや指を用いて画面を操作したり、文字を入力したりすることが可能となっている。
【０００４】
しかし、このような複数の入力手段がある映像表示装置では、これら入力手段の同時操作による不都合が生じてしまっていた。
【０００５】
例えば画面のズーム処理を考えると、オンスクリーンデジタイザによってズーム処理を行っているときに、PCのキーボードからズーム処理のコマンドが入力されると、そのコマンドが有効になってしまい、デジタイザの操作者にとって想定外の処理が行われてしまうという欠点があった。
【０００６】
この問題を解決するため、特許文献１の情報処理装置では、複数の入力手段に対して排他管理部を設け、ある入力手段による入力が発生した場合、その入力が終了するまで、他の入力手段からの入力を禁止することで、効率よくかつ簡単に該情報処理装置に係る入力制御方法を開示している。
【特許文献１】特開2004−5430号公報
【発明の開示】
【発明が解決しようとする課題】
【０００７】
特許文献１で開示されるように複数の入力手段に対して排他管理部を設けることで、これら入力手段の同時操作による不都合は解消されるが、表示画面上には排他制御が行われていることの情報が何ら提示されていない。
【０００８】
このことによって、PCが有する入力手段から操作を命令するコマンドが入力され、排他制御によってオンスクリーンデジタイザからの操作が禁止されている時、デジタイザ操作者は操作が禁止されている状態である事が分からず、何度も操作を繰り返したり、故障したと誤認識したりする恐れがある。
【０００９】
本発明は、前記の問題を解決するためになされたものであり、複数の入力手段を有する映像表示装置の操作性向上を目的とする。
【課題を解決するための手段】
【００１０】
前記目的を達成するため、本発明の映像表示装置は、表示画面上の指示位置の座標値を算出する座標入力装置と、前記表示画面上に位置指示をおこなう指示装置とを有し、かつ入力装置を有する情報処理装置とネットワークを介して接続された映像表示装置であって、前記座標入力装置からの入力を受付ける座標入力処理手段と、前記情報処理装置の入力装置からの入力を受付ける外部入力処理手段と、該映像表示装置に与える処理命令を表す画像を、表示画面上に表示させる処理命令画像表示手段と、前記座標入力処理手段からの入力と、前記外部入力処理手段からの入力とを排他制御する排他管理手段と、を具備したことを特徴とする。
【００１１】
また、前記処理命令画像表示手段は、前記排他管理手段による排他制御によって、前記座標入力処理手段からの入力が無効となった場合、前記指示位置による位置指示の補助を行う画像の表示形態を変更する。
【００１２】
また、前記処理命令画像表示手段は、前記排他管理手段による排他制御によって、前記座標入力処理手段からの入力が無効となった場合、前記指示位置による位置指示の補助を行う画像を表示しない。
【００１３】
前記目的を達成するため、本発明の映像表示装置は、表示画面上の指示位置の座標値を算出する座標入力装置と、前記表示画面上に位置指示をおこなう指示装置と、前記座標入力装置以外の入力装置を少なくとも一つ以上有し、かつ入力装置を有する情報処理装置とネットワークを介して接続された映像表示装置であって、前記座標入力装置からの入力を受付ける座標入力処理手段と、前記座標入力装置以外の入力装置からの入力を受付ける少なくとも一つ以上の内部入力処理手段と、前記情報処理装置の入力装置からの入力を受付ける外部入力処理手段と、該映像表示装置に与える処理命令を表す画像を、表示画面上に表示させる処理命令画像表示手段と、前記座標入力処理手段からの入力と、前記内部入力処理手段からの入力と、前記外部入力処理手段からの入力とを排他制御する排他管理手段と、を具備したことを特徴とする。
【００１４】
また、前記処理命令画像表示手段は、前記排他管理手段による排他制御によって、前記座標入力処理手段からの入力が無効となった場合、前記指示位置による位置指示の補助を行う画像の表示形態を変更する。
【００１５】
また、前記処理命令画像表示手段は、前記排他管理手段による排他制御によって、前記座標入力処理手段からの入力が無効となった場合、
前記指示位置による位置指示の補助を行う画像を表示しない。
【００１６】
前記目的を達成するため、本発明の映像表示装置の制御方法は、表示画面上の指示位置の座標値を算出する座標入力装置と、前記表示画面上に位置指示をおこなう指示装置とを有し、かつ入力装置を有する情報処理装置とネットワークを介して接続された映像表示装置の制御方法であって、前記座標入力装置からの入力を受付ける座標入力処理工程と、前記情報処理装置の入力装置からの入力を受付ける外部入力処理工程と、該映像表示装置に与える処理命令を表す画像を、表示画面上に表示させる処理命令画像表示工程と、前記座標入力処理工程からの入力と、前記外部入力処理工程からの入力とを排他制御する排他管理工程と、を具備したことを特徴とする。
【００１７】
また、前記処理命令画像表示工程は、前記排他管理工程による排他制御によって、前記座標入力処理工程からの入力が無効となった場合、前記指示位置による位置指示の補助を行う画像の表示形態を変更する。
【００１８】
また、前記処理命令画像表示工程は、前記排他管理工程による排他制御によって、前記座標入力処理工程からの入力が無効となった場合、前記指示位置による位置指示の補助を行う画像を表示しない。
【００１９】
前記目的を達成するため、本発明の映像表示装置の制御方法は、表示画面上の指示位置の座標値を算出する座標入力装置と、前記表示画面上に位置指示をおこなう指示装置と、前記座標入力装置以外の入力装置を少なくとも一つ以上有し、かつ入力装置を有する情報処理装置とネットワークを介して接続された映像表示装置の制御方法であって、前記座標入力装置からの入力を受付ける座標入力処理工程と、前記座標入力装置以外の入力装置からの入力を受付ける少なくとも一つ以上の内部入力処理工程と、前記情報処理装置の入力装置からの入力を受付ける外部入力処理工程と、該映像表示装置に与える処理命令を表す画像を、表示画面上に表示させる処理命令画像表示工程と、前記座標入力処理工程からの入力と、前記内部入力処理工程からの入力と、前記外部入力処理工程からの入力とを排他制御する排他管理工程と、を具備したことを特徴とする。
【００２０】
また、前記処理命令画像表示工程は、前記排他管理工程による排他制御によって、前記座標入力処理工程からの入力が無効となった場合、前記指示位置による位置指示の補助を行う画像の表示形態を変更する。
【００２１】
また、前記処理命令画像表示工程は、前記排他管理工程による排他制御によって、前記座標入力処理工程からの入力が無効となった場合、前記指示位置による位置指示の補助を行う画像を表示しない。
【発明の効果】
【００２２】
本発明の映像表示装置は、デジタイザの操作者に、排他制御中であり画面操作が出来ないという情報を明示することが可能となる。
【発明を実施するための最良の形態】
【００２３】
（第１の実施形態）
図1は本実施形態の映像表示装置の構成を示す概念図である。
【００２４】
１０１は本実施形態の映像表示装置である。
【００２５】
１０２はPCであり、１０３はディスプレイ１０１とPC１０２を接続するネットワークである。
【００２６】
なお、図１では省略しているが、映像表示装置１０１は表示画面上に光学式デジタイザ機能を有しており、ペンや指などの位置指示手段で画面操作が可能となっている。
【００２７】
図１１を用いて光学式デジタイザを詳細に説明する。
【００２８】
図中１１０３、１１０４は投光手段および検出手段を有するセンサユニットであり、所定の距離はなれて設置されている。センサユニットは制御・演算を行う制御・演算ユニット１１０２に接続され、制御信号を制御・演算ユニットから受け取ると共に、検出した信号を制御・演算ユニットに送信する。１１０６は入射光を到来方向に反射する再帰反射面を有する反射手段であり、それぞれのセンサユニットから約９０°範囲に投光された光を、センサユニットに向けて再帰反射する。
【００２９】
反射された光は、結像光学系とラインCCD等によって構成されたセンサユニットの検出手段によって1次元的に検出され、その光量分布が制御・演算ユニットに送られる。
【００３０】
１１０７は該映像表示装置の表示画面であり、デジタイザにおいては入力領域として用いる。
【００３１】
このような構成において、入力領域に指や指示具などによる入力指示がなされると、上記投光手段から投光された光が遮られ、再帰反射による反射光が得られなくなるため、入力指示位置のみ光量が得られなくなる。
【００３２】
メインユニットの演算制御手段は、センサユニットの光量変化から、入力指示された部分の遮光範囲を検出し、同範囲内での検出点を特定してそれぞれの角度を算出する。算出された角度および、センサユニット間の距離等から、入力エリア上の座標位置を算出し、後述する図２の該映像表示装置のデジタイザ入力処理部に、USBなどのインタフェース１１０１を経由して座標値を出力する。
【００３３】
また、図１１の発光ペン１１０８に設けられたペン先スイッチあるいはペンサイドのスイッチが押下されると、ペンに内蔵された赤外LEDが発光して、スイッチ情報や自身のID情報などを送信する。発せられた光信号は、集光光学系を有する制御信号受信手段である、受光IC１１０５によって検出され、制御・演算ユニット１１０２に送られて、ペンダウンなどの情報やID情報などが先の座標情報とともに出力され、画面上への線や文字の入力、アイコンの操作などが可能になる。
【００３４】
なお、デジタイザは抵抗膜式デジタイザ、超音波表面弾性波方式デジタイザなどを用いても構わない。
【００３５】
なお、ネットワークで接続されたPCは1台として説明するが、2台以上あっても構わない。
【００３６】
なお、PCからの入力はPCが有するキーボードからの入力として説明するが、マウスなどであってもかまわない。
【００３７】
なお、ネットワーク１０３はUSBとして説明するが、有線LAN、無線LAN、IEEE1394などであってもかまわない。
【００３８】
本実施形態が想定する使用例は以下の通りである。
【００３９】
映像表示装置に対して映像処理（例えば画面ズーム、明るさ変更など）を命令する場合、図１によればデジタイザとPCが有するキーボードの２つの入力装置から行うことができる。
【００４０】
映像表示装置の表示画面にデジタイザで操作可能なアイコンが表示されており、アイコンを選択するとそれぞれのアイコンに割り当てられた処理が行われる。
【００４１】
デジタイザ操作者はアイコンを選択することで、PC操作者はキーボードでキー入力することで、それぞれ処理命令の入力を行う。
【００４２】
この時、同時入力による問題の発生を防ぐために、２つの入力を後述する図２の排他管理部１００５によって排他制御を行う。
【００４３】
早く入力がなされた入力装置が、処理命令を一定期間占有する。その期間中、占有していない入力装置からの処理命令は無効となる。
【００４４】
無効となった入力装置がデジタイザであった場合、占有中の処理命令に対応したアイコンの表示を変更することで、もしくは前記アイコンを表示しないことで、デジタイザ操作者にデジタイザによる操作が無効であることを通知する。
【００４５】
以上説明した使用例による表示画面の一例を図７及び図８に示す。
【００４６】
それぞれ７０１が表示画面を表し、表示画面７０１にアイコン７０２及びアイコン７０３及びアイコン７０４が表示されている。
【００４７】
図７はアイコン７０４に対応する処理命令がデジタイザから操作可能である時の表示画面で、図８はアイコン７０４に対応する処理命令がデジタイザから操作不可である時の表示画面である。
【００４８】
図２は本実施形態の映像表示装置を示す機能ブロック図である。
【００４９】
この図に従って本実施形態を説明する。
【００５０】
本発明の映像表示装置はデジタイザからの入力を受付けるデジタイザ入力処理部１００２と、PCからの入力を受付けるPC入力処理部１００４と、複数入力の排他制御を行い、排他信号と実行処理命令を生成する排他管理部１００５と、排他管理部１００５からの排他信号に応じて、表示画面に表示させるアイコンの表示情報を変更するアイコン表示変更部１００９と、アイコン表示変更部１００９からのアイコンの表示情報を元にアイコン表示映像信号を生成するアイコン生成部１００６と、入力映像信号に対して、排他管理部１００５からの実行処理命令に応じた映像処理を行う映像処理部１００７と、映像処理後の入力映像信号とアイコン表示映像信号を合成し、出力映像信号を生成する信号合成部１００８と、を備えている。
【００５１】
デジタイザ入力処理部１００２はデジタイザ１００１から画面上の位置情報を得、該位置情報を解析することで表示画面上のアイコンを選択しているかを判断し、判断の結果選択されていれば、アイコンに割り当てられている要求処理命令を生成し、排他管理部１００５へ送る。
【００５２】
PC入力処理部１００４はPC１０２からの入力データをUSB１０３を介して得、該入力データを解析して要求処理命令を生成し、排他管理部１００５へ送る。
【００５３】
排他管理部１００５はデジタイザからの要求処理命令及びPCからの要求処理命令の内、早く到達した方に処理の占有権を与え、その要求処理命令を実行処理命令として映像処理部１００７へ送る。また、デジタイザからの要求が有効かどうかを示す排他信号を生成し、アイコン表示変更部１００９へ送る。
【００５４】
アイコン表示変更部１００９は内部メモリとして保持されている処理命令の一覧とそれぞれに対応したアイコン画像情報が組みになったアイコン表示情報を読み込み、アイコン生成部１００６へ送る。
【００５５】
このとき、排他信号がデジタイザからの要求が有効であることを示していれば、アイコン表示情報は変更しない。排他信号がデジタイザからの要求が無効であることを示していれば、アイコン表示情報を変更する。
【００５６】
前記変更の例としては、現在デジタイザからの要求が無効となっている処理に対応するアイコンのブライトネスを下げる、もしくはアイコンを表示しないように設定する等が挙げられる。
【００５７】
アイコン生成部１００６はアイコン表示変更部１００９から受け取ったアイコン表示情報を元にアイコン表示映像信号を生成し、信号合成部１００８へ渡す。
【００５８】
映像処理部１００７はDVI、HDMI端子などから受け取った入力映像信号に対して、実行処理命令に応じた映像処理を行い、映像処理が行われた入力映像信号を信号合成部１００８へ送る。
【００５９】
信号合成部１００８は映像処理部から受け取った映像信号とアイコン表示映像信号を合成し、該合成した信号を出力映像信号として液晶パネルなどに渡す。
【００６０】
デジタイザ入力処理部１００２の制御フローチャートを図３、PC入力処理部１００４の制御フローチャートを図４、排他管理部１００５の制御フローチャートを図５-１及び図５-２、アイコン表示変更部１００９の制御フローチャートを図６に示す。
【００６１】
図３に示す制御フローはデジタイザから入力があったときに発生する。
【００６２】
以下、図３に従ってデジタイザ入力処理部１００２の制御フローを説明する。
【００６３】
ステップS３０１でデジタイザから入力された画面上の位置情報を解析し、ステップS３０２でデジタイザによってアイコンが選択されているかを判断する。
【００６４】
判断の結果アイコンが選択されていなければフローを終了し、アイコンが選択されていれば、ステップS３０３に進み、選択されたアイコンが表す要求処理命令を生成してからフローを終了する。
【００６５】
図４に示す制御フローはPCから入力があったときに発生する。
【００６６】
以下、図４に従ってPC入力処理部１００４の制御フローを説明する。
【００６７】
ステップS４０１でPCから入力されたデータを解析し、ステップS４０２でPCから処理を表すコマンドが入力されたかどうかを判断する。
【００６８】
判断の結果、処理コマンドが入力されていなければフローを終了し、処理コマンドが入力されていれば、ステップS４０３に進み、要求処理命令を生成してからフローを終了する。
【００６９】
図５-1に示す制御フローはデジタイザ入力処理部１００２から要求処理命令が入力された時、及びPC入力処理部１００４から要求処理命令が入力された時において発生する。（発生条件１）
また、初期状態、すなわち電源が入ってまだどちらからも入力がない時に一度だけ、どちらからも占有されていない事を示す排他信号を生成する。
【００７０】
以下、図５-1に従って排他管理部１００５の発生条件１における制御フローを説明する。
【００７１】
ステップS５０１では、要求された処理が占有状態であるかを判断する。
【００７２】
ステップS５０１の判断の結果、Yes（占有状態である）であればステップS５０７へ進み、No（非占有状態）であればステップS５０２へ進む。
【００７３】
ステップS５０７では要求されている処理命令が処理命令を占有している入力装置によるものかどうかを判断する。
【００７４】
ステップS５０７の判断の結果、Yes（処理を占有している入力装置による処理命令の要求）であればステップS５０４へ進み、No（処理を占有している入力装置とは別の入力装置による処理命令の要求）であれば、フローを終了する。
【００７５】
ステップS５０２では要求処理命令がデジタイザからのものかどうかを判断する。
【００７６】
ステップS５０２の判断の結果、No(PCからの要求)であれば、ステップS５０８に進み、Yes（デジタイザからの要求）であれば、ステップS５０３へ進む。
【００７７】
ステップS５０８ではPCによる占有であることを示す排他信号を生成し、ステップS５０４へ進む。
【００７８】
ステップS５０３ではデジタイザによる占有であることを示す排他信号を生成し、ステップS５０４へ進む。
【００７９】
ステップS５０４では占有が可能な時間を設定し、該時間をカウントする時間カウンタの初期化を行う。
【００８０】
ステップS５０５では処理を要求した入力装置による処理命令の占有状態を開始する。
【００８１】
ステップS５０６では要求処理命令に基づき、実行処理命令を生成し、フローを終了する。
【００８２】
図５-２に示す制御フローは占有状態である期間のある一定間隔において発生する。（発生条件２）
以下、図５-2に従って排他管理部１００５の発生条件２における制御フローを説明する。
【００８３】
ステップS５２０では占有が可能である時間を経過したかどうかを判断する。
【００８４】
ステップS５２０の判断の結果、Yes（経過した）であれば、ステップS５２１へ進み、No（経過していない）であればフローを終了する。
【００８５】
ステップS５２１では処理を要求した入力装置による処理命令の占有状態を終了する。
【００８６】
ステップS５２２では実行を行った処理命令が非占有状態であることを示す排他信号を生成し、フローを終了する。
【００８７】
図６に示す制御フローは排他管理部１００５から排他信号が入力された時に発生する。
【００８８】
以下、図６に従って排他管理部１００６の制御フローを説明する。
【００８９】
ステップS６０１でアイコン表示映像信号を生成する。
【００９０】
ステップS６０２では排他信号をみてPCが占有状態であるかどうかを判断する。
【００９１】
判断の結果、No（デジタイザが占有状態である、もしくはどちらも占有していない）であれば、フローを終了し、Yes（PCが占有状態である）であれば、ステップS６０３へ進む。
【００９２】
ステップS６０３は実行中の処理を表すアイコンの形態を変更するか、もしくは該アイコンを消去し、アイコン表示映像信号を更新してフローを終了する。
【００９３】
次に本実施形態の効果について説明する。
【００９４】
本実施形態によれば、デジタイザの操作者に、排他制御中であるため画面操作ができない、という情報を明示することが可能となる。また、無効であることが表示画面を見て分からなければデジタイザ操作者は何度も入力を試し、映像表示装置に負荷がかかってしまうが、本実施形態によれば、無効であることが表示画面を見て分かるので、デジタイザ操作者が無効である入力を試す回数が減り、映像表示装置への負荷が軽減される効果もある。
【００９５】
また、本実施形態ではPCが占有状態の時、アイコンの表示形態を変更するか、アイコンを表示しないかによってデジタイザによる操作が無効であることをデジタイザ操作者に示しているが、図９に示すようにPCが占有状態の時に表示画面上に文字画像を表示させることでもデジタイザによる操作が無効であることをデジタイザ操作者に示すことができ、上記と同様の効果を得ることが出来る。
【００９６】
（第２の実施形態）
以上説明した、第１の実施形態の他にも図１０に示すような構成による実施形態が考えられる。
【００９７】
図１０は本実施形態の映像表示装置の構成を示す概念図である。
【００９８】
図１０は図１の映像表示装置に複数の入力装置を追加したものである。
【００９９】
キーボード１０４及びマウス１０５及びリモコン１０６は映像表示装置１０１に接続されたものであり、映像表示装置１０１はそれぞれのデバイスドライバを有する。
【０１００】
図１０に示した構成による実施形態においても、第１の実施形態で説明したものと同様の効果を得ることが出来る。
【図面の簡単な説明】
【０１０１】
【図１】第1実施形態に係る映像表示装置の構成を示す概念図。
【図２】第1実施形態に係る映像表示装置の構成を示す機能ブロック図。
【図３】第1実施形態に係る映像表示装置のデジタイザ入力処理部を説明するフローチャート図。
【図４】第1実施形態に係る映像表示装置のPC入力処理部を説明するフローチャート図。
【図５】５−１は第1実施形態に係る映像表示装置の排他管理部を説明するフローチャート図。（発生条件１）５−２は第1実施形態に係る映像表示装置の排他管理部を説明するフローチャート図。（発生条件２）
【図６】第1実施形態に係る映像表示装置のアイコン生成部を説明するフローチャート図。
【図７】第1実施形態に係る映像表示装置の表示画面の例を示す図。（デジタイザによる操作可能）
【図８】第1実施形態に係る映像表示装置の表示画面の例を示す図。（デジタイザによる操作不可をアイコンの表示形態変更で示した場合）
【図９】第1実施形態に係る映像表示装置の表示画面の例を示す図。（デジタイザによる操作不可を文字画像で示した場合）
【図１０】第2実施形態に係る映像表示装置の構成を示す概念図。
【図１１】光学式デジタイザの説明図。
【図１】
2007072504.tif 000003
【図２】
2007072504.tif 000004
【図３】
2007072504.tif 000005
【図４】
2007072504.tif 000006
【図５】
2007072504.tif 000007
【図６】
2007072504.tif 000008
【図７】
2007072504.tif 000009
【図８】
2007072504.tif 000010
【図９】
2007072504.tif 000011
【図１０】
2007072504.tif 000012
【図１１】
2007072504.tif 000013